(57)【要約】【課題】収容体の内部の放熱性を確保するとともに、制御基板に対して不正な操作が行われることを確実に防止できるようにする。【解決手段】メイン制御基板（制御基板）を内カバー７０（内側収容体）の内部に収容し、内カバー７０を外カバー３３（外側収容体）で覆った状態では、内カバー７０に形成された放熱孔７１と外カバー３３に形成された放熱孔６１とが上下方向で互い違いにずれて位置するようにし、外カバー３３の放熱孔６１から針金等を挿入したとしても、内カバー７０の放熱孔７１を通り抜けることができないようにすることで、内カバー７０の内部のメイン制御基板に対する配線の短絡等の不正な操作を防止できるようにした。【選択図】図７
2006081561.tif 000002
【特許請求の範囲】
【請求項１】
遊技機を制御する制御基板と、
前記制御基板を内部に収容するとともに、前記制御基板から発生した熱を外部に放出する放熱孔が形成された収容体と
を備える遊技機の制御装置であって、
前記収容体は、前記制御基板側の内側収容体と、前記内側収容体を覆う外側収容体とからなり、
前記制御基板を前記内側収容体の内部に収容し、前記内側収容体を前記外側収容体で覆った状態では、前記内側収容体に形成された放熱孔と前記外側収容体に形成された放熱孔とが上下方向で互い違いにずれて位置する
ことを特徴とする遊技機の制御装置。
【請求項２】
請求項１に記載の遊技機の制御装置において、
前記制御基板を前記内側収容体の内部に収容し、前記内側収容体を前記外側収容体で覆った状態では、前記内側収容体に形成された放熱孔と前記外側収容体に形成された放熱孔とが上下方向で互いに重なり合わないように位置する
ことを特徴とする遊技機の制御装置。
【請求項３】
請求項１又は請求項２に記載の遊技機の制御装置において、
前記制御基板を前記内側収容体の内部に収容し、前記内側収容体を前記外側収容体で覆った状態では、前記内側収容体に形成された放熱孔と前記外側収容体に形成された放熱孔とが平面的に交互に列をなして配置される
ことを特徴とする遊技機の制御装置。
【請求項４】
請求項１又は請求項２に記載の遊技機の制御装置において、
前記制御基板を前記内側収容体の内部に収容し、前記内側収容体を前記外側収容体で覆った状態では、前記内側収容体に形成された放熱孔と前記外側収容体に形成された放熱孔とが平面的に千鳥状をなして配置される
ことを特徴とする遊技機の制御装置。
【請求項５】
請求項１から請求項４までのいずれか１項に記載の遊技機の制御装置において、
前記内側収容体及び前記外側収容体は、透明樹脂からなる
ことを特徴とする遊技機の制御装置。
【請求項６】
請求項１から請求項５までのいずれか１項に記載の遊技機の制御装置において、
前記制御基板を載置する支持体を備え、
前記外側収容体は、前記支持体の一端側に、回転可能に連結されている
ことを特徴とする遊技機の制御装置。
【請求項７】
請求項１から請求項６までのいずれか１項に記載の遊技機の制御装置において、
前記遊技機は、図柄変動表示装置を有する弾球遊技機であり、
前記制御基板は、前記図柄変動表示装置に表示された図柄の変動を制御する
ことを特徴とする遊技機の制御装置。
【請求項８】
請求項１から請求項６までのいずれか１項に記載の遊技機の制御装置において、
前記遊技機は、図柄を表示したリールを有するスロットマシンであり、
前記制御基板は、前記リールの回転を制御する
ことを特徴とする遊技機の制御装置。
【発明の詳細な説明】
【技術分野】
【０００１】
本発明は、遊技機の制御基板を収容体の内部に収容した遊技機の制御装置に係るものであり、詳しくは、収容体の内部の放熱性を確保するとともに、収容体の外部から、内部の制御基板に対して不正な操作が行われることを確実に防止できるようにした技術に関するものである。
【背景技術】
【０００２】
従来、弾球遊技機やスロットマシン等の遊技機における出玉に関する制御は、メイン制御基板と呼ばれる制御基板によって行われている。また、近年の遊技機では、メイン制御基板以外に、出玉に関する制御を実質的に行うサブ制御基板と呼ばれる制御基板が設けられている場合もある。
【０００３】
そして、このような遊技機において、メイン制御基板又はサブ制御基板の制御プログラムや入出力信号等に対し、プログラムの改ざん、外部からの不正な信号の付与等をすることにより、本来の遊技と異なる適正でない遊技を実行させるという不正行為が問題となっている。
【０００４】
すなわち、メイン制御基板等の制御基板がそのまま外部に露出した状態であると、制御ＲＯＭ等の電子部品が正規品以外のものに交換されるおそれがある。また、各種の電子部品や、制御基板と外部機器とを電気的に接続するためのコネクタは、制御基板にプリントされた配線パターンによって相互に接続されているため、配線パターンに対する不正な部品の接続や、配線の短絡等を行うことも可能である。したがって、制御基板に対して不正な操作が実行されることが考えられるのであり、そのような行為を効果的に防止できなければ、遊技店等で大きな被害が出てしまう。
【０００５】
そこで、メイン制御基板等の制御基板を透明樹脂からなる収容体の内部に収容し、この収容体の不正開放を禁止するための手段を講じることにより、収容体を容易に開放できないようにして、制御基板に対する不正な操作の実行を防止する技術が知られている。
【０００６】
図９は、このような従来の遊技機の制御装置３０を示す平面図である。
図９に示すように、この制御装置３０は、外カバー３３（収容体）の内部に、複数のコネクタ４０及びコネクタ５０が装着されたメイン制御基板２３を収容したものである。
【０００７】
ここで、外カバー３３は、一端側がヒンジ３５によって回転可能に連結されており、他端側がロック部材３９によって封止されている。そのため、図９に示す制御装置３０は、外カバー３３の不正開放が禁止され、その結果、メイン制御基板２３に実装された電子部品の不正な交換等を防ぐことができる。
【０００８】
ところが、メイン制御基板２３を外カバー３３の内部に収容すると、今度は、メイン制御基板２３の発熱対策が問題となる。すなわち、メイン制御基板２３が外カバー３３によって覆われていると、メイン制御基板２３上に実装された各種の電子部品が発する熱が外カバー３３の内部にこもり、電子部品の温度上昇を招くこととなる結果、制御の誤作動が発生してしまう。そのため、メイン制御基板２３から発生した熱を外カバー３３の外部に放出する手段が必要となるのである。
【０００９】
そこで、外カバー３３（収容体）に多数の放熱孔を形成する技術が知られている。すなわち、この技術を用いた収容体は、メイン制御基板２３等の各種の制御基板を外部から透視可能な構造を有しており、この収容体に多数の放熱孔を設けている（例えば、特許文献１参照）。
【特許文献１】特許第２９０５７７３号公報
【００１０】
上記の特許文献１に記載の技術によれば、収容体の外部から、内部の制御基板を容易に透視することができるので、制御基板に実装された電子部品が不正に交換等された場合であっても、その事実を容易に発見することができる。
また、収容体に多数の放熱孔を設けているので、収容体の内部の制御基板が発生する熱を収容体の外部に放出することができる。
【発明の開示】
【発明が解決しようとする課題】
【００１１】
しかし、上記の特許文献１に記載の技術では、制御基板を収容体の内部に収容することにより、制御基板の電子部品を直接交換してプログラムを改ざんする等の形態の不正行為は防止できるが、制御基板にプリントされた配線パターンに対して外部から不正な信号を付与する等の形態の不正行為は防げない。
【００１２】
すなわち、収容体に設けられた放熱孔を通して、収容体の内部に収容された制御基板のプリント配線パターンに対し、不正な部品の接続や、配線の短絡等を行うことが可能となり、適正でない遊技を実行させるおそれが残ってしまうのである。
【００１３】
この点に関し、上記の特許文献１には、放熱孔を２ｍｍ程度以下の丸孔、角孔等とすることにより、収容体の外部から不正改造用の工具等が挿入できないようにする技術が開示されている。しかしながら、工具等が挿入できないとしても、針金等を挿入することはできる。そのため、針金等をプリント配線パターンに接続して、不正な遊技を行わせることが可能となってしまう。
【００１４】
このように、制御基板を収容体の内部に収容したとしても、収容体に設けられた放熱孔の部分が問題として残る。一方、放熱孔を設けなければ、収容体の内部の温度上昇が問題となる。そのため、制御基板の発熱対策を施しつつ、収容体の外部から、内部の制御基板に対して不正な操作が行われることを確実に防止できる技術が強く要望されている。
【００１５】
したがって、本発明が解決しようとする課題は、収容体の内部の放熱性を確保するとともに、収容体の外部から、内部の制御基板に対して不正な操作が行われることを確実に防止できるようにした遊技機の制御装置を提供することである。
【課題を解決するための手段】
【００１６】
本発明は、以下の解決手段によって、上述の課題を解決する。
請求項１の発明は、遊技機を制御する制御基板と、前記制御基板を内部に収容するとともに、前記制御基板から発生した熱を外部に放出する放熱孔が形成された収容体とを備える遊技機の制御装置であって、前記収容体は、前記制御基板側の内側収容体と、前記内側収容体を覆う外側収容体とからなり、前記制御基板を前記内側収容体の内部に収容し、前記内側収容体を前記外側収容体で覆った状態では、前記内側収容体に形成された放熱孔と前記外側収容体に形成された放熱孔とが上下方向で互い違いにずれて位置することを特徴とする。
【００１７】
請求項２の発明は、請求項１に記載の遊技機の制御装置において、前記制御基板を前記内側収容体の内部に収容し、前記内側収容体を前記外側収容体で覆った状態では、前記内側収容体に形成された放熱孔と前記外側収容体に形成された放熱孔とが上下方向で互いに重なり合わないように位置することを特徴とする。
【００１８】
請求項３の発明は、請求項１又は請求項２に記載の遊技機の制御装置において、前記制御基板を前記内側収容体の内部に収容し、前記内側収容体を前記外側収容体で覆った状態では、前記内側収容体に形成された放熱孔と前記外側収容体に形成された放熱孔とが平面的に交互に列をなして配置されることを特徴とする。
【００１９】
請求項４の発明は、請求項１又は請求項２に記載の遊技機の制御装置において、前記制御基板を前記内側収容体の内部に収容し、前記内側収容体を前記外側収容体で覆った状態では、前記内側収容体に形成された放熱孔と前記外側収容体に形成された放熱孔とが平面的に千鳥状をなして配置されることを特徴とする。
【００２０】
請求項５の発明は、請求項１から請求項４までのいずれか１項に記載の遊技機の制御装置において、前記内側収容体及び前記外側収容体は、透明樹脂からなることを特徴とする。
【００２１】
請求項６の発明は、請求項１から請求項５までのいずれか１項に記載の遊技機の制御装置において、前記制御基板を載置する支持体を備え、前記外側収容体は、前記支持体の一端側に、回転可能に連結されていることを特徴とする。
【００２２】
請求項７の発明は、請求項１から請求項６までのいずれか１項に記載の遊技機の制御装置において、前記遊技機は、図柄変動表示装置を有する弾球遊技機であり、前記制御基板は、前記図柄変動表示装置に表示された図柄の変動を制御することを特徴とする。
【００２３】
請求項８の発明は、請求項１から請求項６までのいずれか１項に記載の遊技機の制御装置において、前記遊技機は、図柄を表示したリールを有するスロットマシンであり、前記制御基板は、前記リールの回転を制御することを特徴とする。
【００２４】
上記の各発明においては、制御基板を内側収容体の内部に収容し、内側収容体を外側収容体で覆った状態では、内側収容体に形成された放熱孔と外側収容体に形成された放熱孔とが上下方向で互い違いにずれて位置する。すなわち、制御基板は、内側収容体の内部に収容されることとなる。そのため、制御基板上に実装された制御ＲＯＭ等の電子部品を正規品以外のものに交換する等の不正な操作の実行を防止することができる。
【００２５】
また、制御基板を収容する内側収容体には放熱孔が形成されており、この内側収容体を覆う外側収容体にも放熱孔が形成されている。そのため、内側収容体の内部の制御基板が発生する熱を外側収容体の外部にまで放出することができる。
【００２６】
さらに、内側収容体に形成された放熱孔と外側収容体に形成された放熱孔とが上下方向で互い違いにずれて位置している。そのため、外側収容体の放熱孔から針金等を挿入したとしても、その針金等は、内側収容体の放熱孔を通り抜けることができず、内側収容体の内部の制御基板まで到達できないこととなる。その結果、内側収容体の内部の制御基板に対する不正な部品の接続等が防止される。
【００２７】
ここで、内側収容体の放熱孔と外側収容体の放熱孔とのずれの程度は、針金等が通らなければ、部分的に重なり合っていても良い。ただし、この両者の放熱孔を上下方向で互いに重なり合わないように位置させれば、針金等の通り抜けを一層確実に防止することができる。
【００２８】
また、内側収容体の放熱孔と外側収容体の放熱孔とのずれの態様は、例えば、この両者の放熱孔が平面的に交互に列をなして配置されるようにしたり、この両者の放熱孔が平面的に千鳥状をなして配置されるようにすること等が考えられる。
【００２９】
さらに、内側収容体及び外側収容体を透明樹脂で形成すれば、内側収容体の内部の制御基板に実装された電子部品の不正な交換等を容易に発見することができるようになる。すなわち、内側収容体及び外側収容体を開けることなく、外側収容体の外部から、内側収容体の内部の制御基板を容易に透視することができるので、制御基板に実装された電子部品が正規品であるか否かが一目瞭然となる。
【００３０】
なお、このような制御装置を用いる遊技機は、図柄変動表示装置を有する弾球遊技機であっても、図柄を表示したリールを有するスロットマシンであっても良く、弾球遊技機の場合の制御基板は、図柄変動表示装置に表示された図柄の変動を制御し、スロットマシンの場合の制御基板は、リールの回転を制御する。ここで、弾球遊技機であってもスロットマシンであっても、制御基板は、メイン制御基板及びサブ制御基板の両方を含むことは当然である。
【発明の効果】
【００３１】
本発明の遊技機の制御装置によれば、制御基板を内側収容体の内部に収容し、内側収容体を外側収容体で覆った状態では、内側収容体に形成された放熱孔と外側収容体に形成された放熱孔とが上下方向で互い違いにずれて位置するので、外側収容体の外部から、内側収容体の内部の制御基板に不正な部品を接続等することが困難となる。そのため、本発明の遊技機の制御装置は、収容体の内部の制御基板に対する不正な操作を確実に防止することができる。
【００３２】
また、内側収容体の放熱孔及び外側収容体の放熱孔により、内側収容体の内部に収容された制御基板が発生する熱を外側収容体の外部にまで放出することができるので、制御基板に実装された電子部品の温度上昇を抑えることができる。その結果、制御の誤作動の発生を防止することができる。
【発明を実施するための最良の形態】
【００３３】
以下、図面を参照して、本発明の一実施形態について説明する。
なお、以下の実施形態では、本発明の遊技機の制御装置を適用した遊技機として、図柄変動表示装置を有する弾球遊技機を例に挙げて説明する。
【００３４】
図１は、本発明の遊技機の制御装置を適用した弾球遊技機１０の表面側（遊技者側）を示す正面図である。
図１に示すように、弾球遊技機１０の遊技領域１１には、図柄変動表示装置１２、発射装置から発射された遊技球の特定入賞口１３、大入賞口１４、及びアウト口１５等が配置されている。
【００３５】
ここで、特定入賞口１３は、図柄変動表示装置１２の図柄の変動開始条件となる入賞口である。すなわち、この特定入賞口１３への遊技球の入賞により、弾球遊技機１０の内部で抽選が行われるとともに、その抽選結果に基づいて、図柄変動表示装置１２の図柄の変動表示が行われる。
一方、大入賞口１４は、図柄変動表示装置１２により表示された図柄の組合せが所定の停止態様となった場合、例えば、Ａ−Ａ−ＡのようにＡの図柄が揃った場合に開放して、遊技球が入賞可能となる入賞口である。
【００３６】
次に、図１に示す弾球遊技機１０の遊技概要について簡単に説明する。
先ず、遊技者の操作によって発射装置が駆動され、遊技球が遊技領域１１内に進入すると、この遊技球は、釘や風車等に接触して落下方向を変えながら、上記の入賞口（特定入賞口１３等）に入り込むか、又はアウト口１５に送られる。そして、この遊技球が入賞口に入賞した場合には、所定個数の遊技球（賞球）が払出し装置から払い出されることとなる。
【００３７】
特に、特定入賞口１３に入賞した場合には、遊技球（賞球）の払出しに加えて、図柄変動表示装置１２に表示された図柄が所定の変動表示をした後に停止表示するという遊技が行われる。そして、この遊技の結果、すなわち、停止表示した図柄の組合せが予め定められた図柄の組合せとなった場合には、大入賞口１４が開放し、遊技者に利益を与えやすくなる大当たり遊技が行われる。
【００３８】
図２は、本発明の遊技機の制御装置を適用した弾球遊技機１０の裏面側を示す正面図である。
図２に示すように、弾球遊技機１０の裏面側には、賞球タンク２１や、収容体の内部に収容された各種の制御基板等が実装されており、例えば、弾球遊技機１０の右下部には、電源ユニット２２が配置されている。そして、弾球遊技機１０の外部から供給された電源は、過電流遮断装置（ヒューズ）等の所要の電気部品を介して電源ユニット２２に供給され、この電源ユニット２２により、弾球遊技機１０に設けられた各種の制御基板等に所要の電源が供給される。
【００３９】
ここで、図２に示す弾球遊技機１０には、制御基板として、メイン制御基板２３、球搬出制御基板２４、及びサブ制御基板２５の３つが設けられている。そして、メイン制御基板２３、球搬出制御基板２４、及びサブ制御基板２５は、それぞれ別々の収容体の内部に収容されており、各収容体は、容易に開放できないようになっている。
【００４０】
このメイン制御基板２３は、上述したような遊技の進行等を制御する基板であり、演算等を行うＣＰＵ、遊技プログラムを記憶したＲＯＭ、及びデータを一時的に記憶するＲＡＭ等の電子部品を備えている。
また、球搬出制御基板２４は、遊技球の搬出を制御する基板であり、ＣＰＵ、モータの駆動パターンを記憶するＲＯＭ等の電子部品を備えている。
【００４１】
一方、サブ制御基板２５は、演出の出力を制御する基板であり、サウンドの出力、ランプ類の点灯、図柄変動表示装置１２（図１参照）による図柄の変動表示等の制御を行うものであって、メイン制御基板２３と同様に、ＣＰＵ、ＲＯＭ、及びＲＡＭ等の電子部品を備えている。
【００４２】
そして、例えば、メイン制御基板２３は、球搬出制御基板２４、及びサブ制御基板２５等と図示しないハーネス（配線束）により接続され、このハーネスとの電気的な接続のために、メイン制御基板２３、球搬出制御基板２４、及びサブ制御基板２５には、それぞれコネクタが備えられている。
【００４３】
次に、本発明の遊技機の制御装置の実施形態について説明する。
（第１実施形態）
図３は、第１実施形態の遊技機の制御装置に使用するメイン制御基板２３を示す斜視図である。
図３に示すように、メイン制御基板２３には、各種の電子部品が実装されているとともに、メイン制御基板２３と外部機器（図示せず）とを電気的に接続するための複数のコネクタ４０及びコネクタ５０が装着されている。
【００４４】
ここで、メイン制御基板２３がそのまま外部に露出した状態であると、制御ＲＯＭ等の電子部品が正規品以外のものに交換されるおそれがある。また、各種の電子部品、各コネクタ４０、及び各コネクタ５０は、メイン制御基板２３にプリントされた配線パターンによって相互に接続されているため、配線パターンに対する不正な部品の接続や、配線の短絡等を行うことも可能である。そこで、第１実施形態の遊技機の制御装置では、メイン制御基板２３を後述する基板ベースの上に載置し、内カバーの内部に収容する。
【００４５】
図４は、第１実施形態の遊技機の制御装置３０に使用する基板ベース３１及び外カバー３３を示す斜視図である。
図４に示す基板ベース３１は、本発明における支持体に相当するものであり、透明なＡＢＳ樹脂の成形品からなっている。また、外カバー３３は、本発明における外側収容体に相当するものであり、同じく透明なＡＢＳ樹脂の成形品からなっている。そして、この外カバー３３は、基板ベース３１の一端側に、回転可能に連結されている。すなわち、基板ベース３１の１つの短辺側の側壁３１ａと、外カバー３３の１つの短辺側の側壁３３ａとがヒンジ３５によって回転可能に連結されている。そのため、外カバー３３は、基板ベース３１に対して、ヒンジ３５を中心に回転する。
【００４６】
また、図４に示すように、基板ベース３１には、縦横のリブ３２が形成されている。このリブ３２は、図３に示すメイン制御基板２３を載置するためのものである。一方、外カバー３３には、多数の丸孔（直径２ｍｍ以下）からなる放熱孔６１が千鳥状をなして配置されている。この放熱孔６１は、メイン制御基板２３から発生した熱を最終的に外カバー３３の外部に放出するためのものである。なお、放熱孔６１は、外カバー３３の上面全体に形成されているが、図４では、その一部のみを図示している。
【００４７】
図５は、第１実施形態の遊技機の制御装置３０を示す斜視図であり、基板ベース３１に対して、外カバー３３が開いた状態を示す図である。
上記の通り、基板ベース３１のリブ３２（図４参照）の上には、メイン制御基板２３（図３参照）が載置される。そして、このメイン制御基板２３は、図５に示すように、本発明における内側収容体に相当する内カバー７０の内部に収容される。
【００４８】
この内カバー７０は、基板ベース３１及び外カバー３３と同様に、透明なＡＢＳ樹脂の成形品からなっており、内部に収容されたメイン制御基板２３（図３参照）を透視できるようになっている。また、内カバー７０には、多数の丸孔（直径２ｍｍ以下）からなる放熱孔７１が千鳥状をなして配置されている。この放熱孔７１は、メイン制御基板２３から発生した熱を内カバー７０の外部に放出するためのものである。なお、放熱孔７１は、内カバー７０の上面全体に形成されているが、図５では、その一部のみを図示している。
【００４９】
図６は、第１実施形態の遊技機の制御装置３０を示す斜視図であり、基板ベース３１に対して、外カバー３３を閉じた状態を示す図である。
基板ベース３１のリブ３２（図４参照）の上にメイン制御基板２３（図３参照）を載置し、さらに、このメイン制御基板２３を内カバー７０（図５参照）の内部に収容し、その後、開いた状態となっている外カバー３３を回転させて閉じれば、図６に示すように、基板ベース３１の上面側に外カバー３３が被さり、略箱形の形状となる。
【００５０】
そのため、メイン制御基板２３（図３参照）は、内カバー７０（図５参照）の内部に収容され、この内カバー７０は、外カバー３３で覆われる。そして、この際、メイン制御基板２３に実装された各コネクタ４０及び各コネクタ５０は、外カバー３３の開口部３４（図４参照）に挿入され、外カバー３３の外部に露出する。したがって、露出した各コネクタ４０及び各コネクタ５０に図示しないハーネス（配線束）を接続すれば、メイン制御基板２３と外部機器とが電気的に接続される。
【００５１】
ここで、外カバー３３の長辺側の両側壁３３ｃ，３３ｄには、一対の把持突起３６が形成されている。すなわち、外カバー３３を閉じる際に、この把持突起３６を把持部として利用することができるようになっている。
【００５２】
また、図４及び図５に示すように、基板ベース３１の長辺側の両側壁３１ｃ，３１ｄには、一対の嵌合フック３７が設けられており、外カバー３３の長辺側の両側壁３３ｃ，３３ｄには、一対の嵌合突起３８が形成されている。そのため、図５に示すような開いた状態の外カバー３３を閉じれば、嵌合フック３７と嵌合突起３８とが嵌まり合い、図６に示すように、基板ベース３１と外カバー３３とが一体化する。
【００５３】
さらに、基板ベース３１の他の短辺側の側壁３１ｂと、外カバー３３の他の短辺側の側壁３３ｂとは、ロック部材３９によって封止される。すなわち、図４及び図５に示すように、ロック部材３９の側面には、一対のベースロック爪３９ａと一対のカバーロック爪３９ｂとが形成されている。そして、基板ベース３１の側壁３１ｂに設けられたロックボックス３１ｅにこのロック部材３９を一度挿入してしまえば、ロックボックス３１ｅ内にロック部材３９のベースロック爪３９ａが嵌まり込み、ロックボックス３１ｅからロック部材３９が二度と抜けないようになる。
【００５４】
続いて、この状態で外カバー３３を一度閉じてしまえば、外カバー３３の側壁３３ｂに設けられたロックボックス３３ｅ内にロック部材３９のカバーロック爪３９ｂが嵌まり込み、ロック部材３９からロックボックス３３ｅが二度と抜けないようになる。そのため、ロックボックス３１ｅやロックボックス３３ｅ等を破壊しない限り、外カバー３３の開放は不可能となり、不正開放を簡単に禁止することができる。
【００５５】
このように、第１実施形態の遊技機の制御装置３０は、簡単に、制御装置３０を組み立てることができ、しかも、外カバー３３を閉じるだけで、外カバー３３の不正開放が禁止され、外カバー３３及び内カバー７０の内部にあるメイン制御基板２３に実装された電子部品が正規品以外のものに交換されることを防止できる。
また、基板ベース３１、内カバー７０、及び外カバー３３が透明なので、仮に電子部品の不正な交換等がなされたとしても、その事実を容易に発見することができる。
【００５６】
次に、第１実施形態の遊技機の制御装置３０における放熱性について説明する。
図７は、第１実施形態の遊技機の制御装置３０を示す平面図である。
図７に示すように、メイン制御基板を内カバー７０の内部に収容し、内カバー７０を外カバー３３で覆った状態では、内カバー７０に形成された放熱孔７１と外カバー３３に形成された放熱孔６１とが上下方向で互い違いにずれ（ずれ量は２ｍｍ以下）、両者が重なり合わないように、平面的に千鳥状をなして配置されている。
【００５７】
このように、第１実施形態の遊技機の制御装置３０では、内カバー７０に放熱孔７１が形成され、外カバー３３にも放熱孔６１が形成されている。そのため、内カバー７０の内部に収容されているメイン制御基板が発生する熱は、放熱孔７１を通って内カバー７０の外に放出され、さらに、放熱孔６１を通って外カバー３３の外の大気中に放出される。
【００５８】
したがって、第１実施形態の遊技機の制御装置３０は、メイン制御基板に実装された電子部品の温度上昇を抑えることができ、その結果、制御の誤作動の発生を防止することができる。
【００５９】
また、第１実施形態の遊技機の制御装置３０は、内カバー７０の放熱孔７１と外カバー３３の放熱孔６１とが重なり合わないように、千鳥状に配置されている。そのため、外カバー３３の放熱孔６１から針金等を挿入したとしても、その針金等は、内カバー７０の上面に当たって侵入が阻止されることとなり、内カバー７０の放熱孔７１を通り抜けることができない。
【００６０】
したがって、第１実施形態の遊技機の制御装置３０では、外カバー３３の放熱孔６１から挿入した針金等が内カバー７０の内部にあるメイン制御基板まで到達することがなく、その結果、メイン制御基板にプリントされた配線パターンに対する配線の短絡や、不正な部品の接続等が防止される。
【００６１】
（第２実施形態）
第２実施形態の遊技機の制御装置３０は、図７に示す第１実施形態の遊技機の制御装置３０と同様に、メイン制御基板を内カバー７０の内部に収容し、内カバー７０を外カバー３３で覆ったものである。
しかし、第１実施形態の遊技機の制御装置３０は、図７に示すように、内カバー７０の放熱孔７１と外カバー３３の放熱孔６１とが平面的に千鳥状をなして配置されているのに対し、第２実施形態の遊技機の制御装置３０では、内カバー７０の放熱孔７１と外カバー３３の放熱孔６１とが平面的に交互に列をなして配置されている点が相違する。
【００６２】
図８は、第２実施形態の遊技機の制御装置３０を示す平面図である。
図８に示すように、メイン制御基板を内カバー７０の内部に収容し、内カバー７０を外カバー３３で覆った状態では、内カバー７０に形成された放熱孔７１と外カバー３３に形成された放熱孔６１とが上下方向で互い違いにずれ（ずれ量は２ｍｍ以下）、両者が重なり合わないように、平面的に交互に列をなして配置されている。
【００６３】
そのため、内カバー７０の内部のメイン制御基板が発生する熱は、放熱孔７１を通って内カバー７０の外に放出され、さらに、放熱孔６１を通って外カバー３３の外の大気中に放出される。その結果、メイン制御基板に実装された電子部品の温度上昇を抑えることができ、制御の誤作動の発生を防止することができる。
【００６４】
また、外カバー３３の放熱孔６１から針金等を挿入したとしても、その針金等は、内カバー７０の上面に当たって侵入が阻止されることとなり、内カバー７０の放熱孔７１を通り抜けることができない。その結果、この針金等は、メイン制御基板まで到達することができず、メイン制御基板にプリントされた配線パターンに対する配線の短絡や、不正な部品の接続等が防止される。
【００６５】
以上、本発明の２つの実施形態について説明したが、本発明は、上述した実施形態に限定されることなく、例えば、以下のような種々の変形が可能である。
（１）上述した実施形態の遊技機の制御装置３０は、遊技機の１つとして、図柄変動表示装置を有する弾球遊技機１０に適用した例を示したが、このような弾球遊技機１０には限られない。すなわち、図柄を表示したリールを有するスロットマシンに適用し、メイン制御基板２３がリールの回転を制御するものであっても良い。また、アレンジボール、雀球遊技機等の種々の遊技機にも広く適用することができる。
【００６６】
（２）上述した各実施形態では、外カバー３３の内部に収容する制御基板として、メイン制御基板２３を例に挙げたが、これに限られることなく、遊技機を制御する制御基板であれば、いかなるものであっても良い。例えば、サブ制御基板、球搬出制御基板、液晶等の画像を制御する画像制御基板等であっても良い。
【００６７】
（３）上述した各実施形態では、外カバー３３の放熱孔６１及び内カバー７０の放熱孔７１を丸孔としているが、これに限られることなく、角孔等の各種の形状とすることができる。
【産業上の利用可能性】
【００６８】
本発明の遊技機の制御装置は、収容体の内部の放熱性が確保されるとともに、収容体の内部の制御基板に対する不正な操作を確実に防止することができる。そのため、弾球遊技機、スロットマシン、アレンジボール、雀球遊技機等の種々の遊技機に広く適用することができる。
【図面の簡単な説明】
【００６９】
【図１】本発明の遊技機の制御装置を適用した弾球遊技機１０の表面側（遊技者側）を示す正面図である。
【図２】本発明の遊技機の制御装置を適用した弾球遊技機１０の裏面側を示す正面図である。
【図３】第１実施形態の遊技機の制御装置に使用するメイン制御基板２３を示す斜視図である。
【図４】第１実施形態の遊技機の制御装置３０に使用する基板ベース３１及び外カバー３３を示す斜視図である。
【図５】第１実施形態の遊技機の制御装置３０を示す斜視図であり、基板ベース３１に対して、外カバー３３が開いた状態を示す図である。
【図６】第１実施形態の遊技機の制御装置３０を示す斜視図であり、基板ベース３１に対して、外カバー３３を閉じた状態を示す図である。
【図７】第１実施形態の遊技機の制御装置３０を示す平面図である。
【図８】第２実施形態の遊技機の制御装置３０を示す平面図である。
【図９】従来の遊技機の制御装置３０を示す平面図である。
【符号の説明】
【００７０】
１０  弾球遊技機
１１  遊技領域
１２  図柄変動表示装置
１３  特定入賞口
１４  大入賞口
１５  アウト口
２１  賞球タンク
２２  電源ユニット
２３  メイン制御基板（制御基板）
２４  球搬出制御基板
２５  サブ制御基板
３０  制御装置
３１  基板ベース（支持体）
３１ａ，３１ｂ，３１ｃ，３１ｄ  側壁
３１ｅ  ロックボックス
３２  リブ
３３  外カバー（外側収容体）
３３ａ，３３ｂ，３３ｃ，３３ｄ  側壁
３３ｅ  ロックボックス
３４  開口部
３５  ヒンジ
３６  把持突起
３７  嵌合フック
３８  嵌合突起
３９  ロック部材
３９ａ  ベースロック爪
３９ｂ  カバーロック爪
４０  コネクタ
５０  コネクタ
６１  放熱孔
７０  内カバー（内側収容体）
７１  放熱孔
【図１】
2006081561.tif 000003
【図２】
2006081561.tif 000004
【図３】
2006081561.tif 000005
【図４】
2006081561.tif 000006
【図５】
2006081561.tif 000007
【図６】
2006081561.tif 000008
【図７】
2006081561.tif 000009
【図８】
2006081561.tif 000010
【図９】
2006081561.tif 000011